(57)【特許請求の範囲】
【請求項１】
キャビネット本体と、このキャビネット本体に前後方向に出し入れ自在に設けられた少なくとも１つの物品棚とを有しており、前記物品棚が、水平な棚本体と、この棚本体の前縁に設けられた、棚本体の左右幅より短い左右幅であって高さが所定高さの少なくとも１枚の前板とを有しており、前板が設けられていない棚本体の前縁上方部が物品出し入れ口となされているキャビネット。
【請求項２】
少なくとも２つの物品棚がそれらの前板が上下方向に並ぶようにして上下方向に並んで設けられている請求項１記載のキャビネット。
【請求項３】
前記前板の後方に位置するようにして補助棚板が着脱自在に設けられている請求項１又は２記載のキャビネット。
【請求項４】
前記前板が棚本体に１枚設けられており、その前板が棚本体の前縁の左右いずれかに片寄って設けられている請求項１〜３のいずれかに記載のキャビネット。
【発明の詳細な説明】
【０００１】
【発明の属する技術分野】
本発明は、流し台・ガス台等として好適なキャビネットに関する。
【０００２】
【発明の目的】
本発明は、物品の収納が容易であると共に、外部から見えたら雑然とする物品を外部から見えにくいかたちでスッキリと収納することが出来るキャビネットを提供することを目的とするものである。
【０００３】
【前記目的を達成するための手段】
本発明は前記目的を達成するために以下の如き手段を採用した。
請求項１の発明は、キャビネット本体と、このキャビネット本体に前後方向に出し入れ自在に設けられた少なくとも１つの物品棚とを有しており、前記物品棚が、水平な棚本体と、この棚本体の前縁に設けられた、棚本体の左右幅より短い左右幅であって高さが所定高さの前板とを有しており、前板が設けられていない棚本体の前縁上方部が物品出し入れ口となされているものである。
【０００４】
【発明の作用】
請求項１の発明は以下の如き作用をなすものである。
前方の物品出し入れ口を通じて物品棚を引き出すことなく物品を物品棚に収納することが出来、他方、物品棚を引き出して前板の後方の棚本体に外部から見えたら雑然とする物品を載せることにより、それら物品を外部から見えにくいかたちでスッキリと収納することが出来る。
【０００５】
【発明の実施の形態】
以下に本発明の実施の形態を図面を参照しつつ説明する。
なお、この説明において、前とは図１紙面表側を、後とは同裏側をいい、左とは図１左側を、右とは同図右側をいう。
【０００６】
厨房キャビネット１は、脚として機能する左右一対の側板３を左右に有する天板ユニット２と、この天板ユニット２の左右方向中央部の下方に設けられた中間キャビネット５とを有している。そして、天板ユニット２、側板３及び中間キャビネット５によってキャビネット本体６が構成されている。
【０００７】
前記天板ユニット２には、加熱調理器８や水槽９等が設けられている。
【０００８】
前記右側の側板３と中間キャビネット５の右側面との間には左右幅Ｌ１の空隙１０が形成されており、また、左側の側板３と中間キャビネット５の左側面との間には左右幅Ｌ２の空間１０が形成されている。
前記各空間１０に位置するようにして、上下２段の物品棚１２が、以下に詳述する手段によって、キャビネット本体６に前後方向に出し入れ自在に設けられている。即ち、側板３及び中間キャビネット５の側面に相互に対向するガイド機構１３が設けられ、これら相互に対向するガイド機構１３に物品棚１２が前後動自在に案内されるようになされている。なお、物品棚１２を引き出した際、物品棚１２がガイド機構１３から外れないようにする公知のストッパー機構（図示略）が設けられている。
【０００９】
前記物品棚１２は、水平な棚本体１６と、この棚本体１６の前縁に設けられた、棚本体１６の左右幅より短い左右幅であって高さが所定高さの前板１７とを有しており、前板１７が設けられていない棚本体１６の前縁上方部が物品出し入れ口１８となされている。
前記前板１７は棚本体１６の前縁の左右いずれかに片寄って設けられると共に、右側の上下の前板１７同士及び左側の上下の前板１７同士は、上下方向に並ぶようになされている。また、上側の物品棚１２の前板１７は、棚本体１６の下方に突出する状態で棚本体１６に設けられている。他方、下側の物品棚１２の前板１７は棚本体１６の下方に突出していない。
【００１０】
前記棚本体１６の前縁（前板１７が設けられた部分を除く。）には、高さの低い手掛け用立上り縁２０が設けられている。また、棚本体１６の外側部（右側の棚本体１６の右側部及び左側の棚本体１６の左側部）及び前板１７の後面に側板２１が突き当て固定されている。
【００１１】
上側の物品棚１２の前板１７及び側板２１に、前板１７の後方に位置するようにして、前板１７の上端より下方で且つ棚本体１６の上面より上方に位置するようにして、補助棚板２２が、公知の着脱機構（図示略）によって着脱自在に設けられている。
【００１２】
前記のごとき構造によって、前方の物品出し入れ口１８を通じて物品棚１２を引き出すことなく物品を物品棚１２に収納することが出来、他方、物品棚１２を引き出して前板１７の後方の棚本体１６又は補助棚板２２に、外部から見えたら雑然とする物品を載せることにより、それら物品を外部から見えにくいかたちでスッキリと収納することが出来る。
なお、前板１７の後方の棚本体１６の前部及び補助棚板２２の前部に物品を収納する際は、物品の大きさ等にもよるが、物品棚１２を引き出すことなく物品出し入れ口１８を通じて物品を前板１７の後方の棚本体１６の前部及び補助棚板２２の前部に収納することも可能である。
【００１３】
【変形例等】
以下に変形例等について説明を加える。
（１）棚本体１６は、平板、多孔板、金網状のもの等、素材は任意である。
（２）補助棚板２２、側板２１はない場合もある。
（３）水槽９、加熱調理器８はない場合もある。
（４）キャビネット本体６には、少なくとも１つの物品棚１２が設けられればよい。
（５）前板１７の取り付け位置は、棚本体１６の前縁であればどこでもよい。例えば、棚本体１６の左右方向中央に前板１７を設けてもよい。また、前板１７の左右幅は、棚本体１６の前縁所要部の上方を物品出し入れ口１８とすることが可能な左右幅であれば任意である。
（６）前板１７を棚本体１６に２枚以上取り付けるようにしてもよい。
（７）前板１７を棚本体１６の下方に突出する状態で棚本体１６に設けた場合、棚本体１６から下方に突出した、前板１７の下部分の後方に補助棚板２２を着脱自在に設けるようにしてもよい。この場合において、補助棚板２２の上方の棚本体１６に上下に貫通する複数の貫通孔を設け、これら貫通孔を通じてボトルや調味料容器等を補助棚板２２に載せるようにしてもよい。なお、そうした場合、図面で示した棚本体１６上方の補助棚板２２は取り外す。
【００１４】
【発明の効果】
本発明は前記した如き構成によって以下の如き効果を奏する。
▲１▼請求項１の発明によれば、前方の物品出し入れ口を通じて物品棚を引き出すことなく物品を物品棚に収納することが出来、他方、物品棚を引き出して前板の後方の棚本体に外部から見えたら雑然とする物品を載せることにより、それら物品を外部から見えにくいかたちでスッキリと収納することが出来る。
▲２▼請求項２の発明によれば、前板が上下に並ぶようになされているので、正面から見た際、前板の部分が棚本体と別の収納庫のように見え、キャビネット全体の意匠に変化を与えることが出来る。
▲３▼請求項３の発明によれば、補助棚板を利用することによって、前板の後方に細々とした小さな物品を多数収納することが出来、他方、補助棚板が不要の場合は補助棚板を取り外すことによって、棚本体を広くして平面形状の大きな物品を収納することも出来る。
▲４▼請求項４の発明によれば、前板が棚本体の前縁の左右いずれかに片寄って設けられているので、前板を棚本体の前縁の左右方向中間に設ける場合に比較して、物品出し入れ口の左右幅を大きく取れるので、物品出し入れ口を通じての物品の出し入れが行いやすい。
【図面の簡単な説明】
【図１】本発明の実施の形態を示す一部破砕の正面図である。
【図２】図１のＩＩ−ＩＩ線拡大断面図である。
【図３】図１のＩＩＩ−ＩＩＩ線拡大断面図である。
【符号の説明】
６  キャビネット本体
１２  物品棚
１６  棚本体
１７  前板
１８  物品出し入れ口
【図１】
0003816195.tif 000002
【図２】
0003816195.tif 000003
【図３】
0003816195.tif 000004